(57)【要約】【課題】電力量計等の電子機器において、接続端子について行う作業中及び作業後に、接続端子間における短絡を防止できるようにする。【解決手段】短絡防止具１０は、電気機器に設けられる複数の接続端子部４（４ａ〜４ｆ）における短絡を防止すべく、各接続端子部４（４ａ〜４ｆ）の形状に応じて塑性変形するとともに、接続端子部４（４ａ〜４ｆ）を覆うように取り付けられる粘着性の絶縁部材１１を備える。【選択図】図１
2010159991.tif 000002
【特許請求の範囲】
【請求項１】
電気機器に設けられる複数の接続端子部における短絡を防止すべく、各接続端子部の形状に応じて塑性変形するとともに、各接続端子部を覆うように取り付けられる粘着性の絶縁部材を備えることを特徴とする短絡防止具。
【請求項２】
前記絶縁部材が接続端子部を覆って取り付けられている取り付け場所からこの絶縁部材を取り除くことができるように、この絶縁部材を操作するための操作部材を備える請求項１に記載の短絡防止具。
【請求項３】
前記操作部材は、絶縁部材に食い込むことが可能な複数の突起部を有する請求項２に記載の短絡防止具。
【請求項４】
前記操作部材は、シート状に構成されてなる請求項２又は３に記載の短絡防止具。
【請求項５】
前記絶縁部材に異物が付着することを防止すべく、この絶縁部材の表面を覆うカバー部材を備える請求項１から４のいずれか１項に記載の短絡防止具。
【請求項６】
前記絶縁部材は、その一部が切り取られ、切り取られた部分が、工具と工具によって操作される作業対象物との間に介在して、工具と作業対象物との結合状態を維持する連結具とされる請求項１から５のいずれか１項に記載の短絡防止具。
【請求項７】
工具と工具によって操作される作業対象物との間に介在し、工具及び作業対象物の形状に応じて塑性変形するとともに、作業対象物が、工具に結合されて作業可能な状態を維持することができるように粘着性を有して構成されてなることを特徴とする連結具。
【発明の詳細な説明】
【技術分野】
【０００１】
本発明は、例えば、電力量計等の電子機器に設けられた接続端子部における短絡を防止するための短絡防止具、および、ドライバー等の工具と、この工具によって操作されるビス等の作業対象物とを連結する連結具に関する。
【背景技術】
【０００２】
従来、例えば電力量計のような電子機器には、電線を接続するための複数の接続端子部が設けられている。各接続端子部は、電子機器の大きさに応じて、所定の間隔で並んで配設されている。
【０００３】
このような電力量計においては、各接続端子が並んで配設されているため、各接続端子部間で短絡が生じるおそれがある。
【０００４】
この点に関し、従来の電力量計では、この短絡を防止するために、接続端子部を覆う端子カバーが設けられているものがある（例えば特許文献１参照）。
【先行技術文献】
【特許文献】
【０００５】
【特許文献１】特開２００８−１１１６７９号公報
【発明の概要】
【発明が解決しようとする課題】
【０００６】
しかしながら、従来の電力量計は、再度電線の接続作業等を行う場合に、端子カバーを取り外して作業を行わなければならない。この場合には、全ての接続端子部が露出することになり、作業中に短絡が生じるおそれがある。
【０００７】
また、電力量計等の電子機器の大きさや形状は、その容量、使用目的に応じて様々であることから、接続端子の全てを端子カバーで覆うことができない場合も考えられる。
【０００８】
さらに、電力量計の配線作業では、例えば、ドライバー等の工具によって、ビス、ねじ等の作業対象物を操作する場合に、工具から作業対象物が離れて（落ちて）短絡の原因となることも考えられる。
【０００９】
本発明は、上記の事情に鑑みてなされたものであり、電力量計等の電子機器において、接続端子部について行う作業の間及び作業の後に、接続端子部における短絡を防止できるようにした短絡防止具を提供することを課題とする。
【００１０】
また、本発明は、作業中に工具から作業対象物が離れないように、工具と作業対象物の結合状態を維持できる連結具を提供することを課題とする。
【課題を解決するための手段】
【００１１】
本発明は上記の課題を解決するために以下の技術的手段を講じた。
【００１２】
すなわち、本発明に係る短絡防止具は、電気機器に設けられる複数の接続端子部における短絡を防止すべく、各接続端子部の形状に応じて塑性変形するとともに、各接続端子部を覆うように取り付けられる粘着性の絶縁部材を備えることを特徴とする。
【００１３】
かかる構成によれば、絶縁部材が、各接続端子部の形状に応じて塑性変形可能であることから、電子機器の大きさ、形状に関わらず、絶縁が必要な接続端子部のみを覆うようにこの絶縁部材を設けることができる。したがって、電線の接続作業等を行う接続端子部を露出させ、作業を行わない接続端子部を絶縁部材で覆うようにすれば、作業中における短絡の発生を防止できる。さらに、作業が終了したときに、露出している接続端子部を絶縁部材によって覆うようにすれば、作業後も接続端子部における短絡を確実に防止できる。
【００１４】
また、本発明に係る短絡防止具は、前記絶縁部材が接続端子部を覆って取り付けられている取り付け場所からこの絶縁部材を取り除くことができるように、この絶縁部材を操作するための操作部材を備えるように構成されていてもよい。
【００１５】
かかる構成によれば、粘着性を有する絶縁部材は塑性変形して電子機器の接続端子部に設けられることから、この変形や絶縁部材の粘着性により、扱い難い場合が考えられる、これに対し、操作部材を用いて絶縁部材を操作することで、容易にこの絶縁部材を取り除くことができるようになる。
【００１６】
また、本発明に係る短絡防止具は、前記操作部材が、絶縁部材に食い込むことが可能な複数の突起部を有するように構成されていてもよい。
【００１７】
かかる構成によれば、操作部材の突起部が絶縁部材に食い込むことにより、操作部材は、絶縁部材に対して強く結合することになり、これによって確実に絶縁部材を操作できるようになる。
【００１８】
また、本発明に係る短絡防止具は、前記操作部材が、シート状に構成されてなるものであってもよい。
【００１９】
かかる構成によれば、操作部材は、シート状に構成されていることから、絶縁部材に対する接触面積を十分に確保でき、これによって、絶縁部材に対する結合力を十分に発揮して確実にこの絶縁部材を操作できるようになる。
【００２０】
また、本発明に係る短絡防止具は、前記絶縁部材に異物が付着することを防止すべく、この絶縁部材の表面を覆うカバー部材を備えていてもよい。
【００２１】
かかる構成によれば、粘着性を有する絶縁部材をカバー部材で覆うことで、不使用時に絶縁部材に異物が付着することを確実に防止できる。また、絶縁部材の機能を損なうことなく長期の保存・保管が可能になる。
【００２２】
また、本発明に係る短絡防止具は、前記絶縁部材が、その一部が切り取られ、切り取られた部分が、工具と工具によって操作される作業対象物との間に介在して、工具と作業対象物との結合状態を維持する連結具とされてもよい。
【００２３】
かかる構成によれば、絶縁部材の一部を切り離して、この部分を工具と作業対象物との間に介在させることで、その粘着性により、工具と作業対象物との結合を維持することができ、これによって、作業対象物が不意に工具から離れて短絡が生じるということを防止しながら所定の作業を行うことができるようになる。
【００２４】
また、本発明に係る連結具は、工具と工具によって操作される作業対象物との間に介在し、工具及び作業対象物の形状に応じて塑性変形するとともに、作業対象物が、工具に結合されて作業可能な状態を維持することができるように粘着性を有して構成されてなることを特徴とする。
【００２５】
かかる構成によれば、粘着性を有する連結具が工具と作業対象物との間に介在し、工具と作業対象物との結合を維持することから、工具が作業対象物から不意に離れて短絡が生じるということを防止しながらも、効率の良い作業を行うことができる。
【発明の効果】
【００２６】
本発明に係る短絡防止具によれば、電力量計等の電子機器において、接続端子部について行う作業の間及び作業の後に、接続端子部における短絡を防止できるようになる。
【００２７】
また、本発明に係る連結具によれば、作業中に工具から作業対象物が離れないように、工具と作業対象物の結合状態を維持できるようになる。
【図面の簡単な説明】
【００２８】
【図１】（ａ）は電力量計を示す正面図、（ｂ）は電力量計に本発明に係る短絡防止具が取り付けられた状態を示す正面図である。
【図２】電力量計に短絡防止具が使用された状態を示す断面図である。
【図３】操作部材の例を示す側面図である。
【図４】積層状態の絶縁部材及びカバー部材を示す側面図である。
【図５】本発明に係る連結具を示し、（ａ）は、連結具の使用前の状態、（ｂ）は、連結具の使用中の状態を示す。
【発明を実施するための形態】
【００２９】
以下、本発明を実施するための形態を、図面に基づき説明する。
【００３０】
図１〜図５は、本発明に係る短絡防止具の一実施形態を示している。短絡防止具が使用される電子機器には、電力量計等の計器や、配電用遮断器のように、配線用の接続端子を有する種々のものが含まれるが、本実施形態では、その例として図１に電力量計１を示して説明する。
【００３１】
電力量計１には、単独計器や変成器付計器と呼ばれるものや、無効電力量計１、発振装置付計器といった種々のものがあるが、ここでは、単相３線式若しくは三相３線式と呼ばれる３線式の電力量計１を例に説明する。なお、電力量計１には、単相２線式、三相４線式のものもある。
【００３２】
図１（ａ）に示すように、電力量計１は、供給された電力を計測し、積算し、積算結果である電力量等の数値を表示可能な本体部２と、この本体部２の下部側に設けられた接続端子台３とを備える。
【００３３】
接続端子台３には、複数（図例では６つ）の接続端子部４（４ａ〜４ｆ）が設けられている。複数の接続端子部４（４ａ〜４ｆ）のうち、３つの接続端子部（入力端子部）４（４ａ〜４ｃ）には、電源側の配線（電線）が接続され、残りの３つの接続端子部（出力端子部）４（４ｄ〜４ｆ）には、負荷側の配線（電線）が接続されるようになっている。
【００３４】
接続端子部４（４ａ〜４ｆ）は、接続端子台３の下面側に形成された電線の挿入孔（図示せず）と、挿入孔の奥側に設けられた接続端子（図示せず）と、接続端子台３の表面側に形成された凹部５と、この凹部５の底面に、前記挿入孔と連通するように形成された複数（図例では２つ）のねじ孔６，６と、このねじ孔６，６に嵌めこまれる複数（図例では２つ）の端子螺子７，７とを有する。各接続端子部４（４ａ〜４ｆ）は、各端子螺子７，７を緩めた状態で、挿入孔に電線を挿入してその端部と接続端子とを接触させた状態で、端子螺子７，７を締め付けることによって、電線を接続できる。
【００３５】
図１（ｂ）、図２〜図４に示すように、短絡防止具１０は、接続端子部４（４ａ〜４ｆ）を覆うように設けられる絶縁部材１１と、この絶縁部材１１を操作するための操作部材１２と、絶縁部材１１に異物が付着することを防止するためのカバー部材１３とを有する。
【００３６】
絶縁部材１１には、粘着性と絶縁性とを有する粘土状の材料が用いられる。したがって、絶縁部材１１は、取り付けられる場所の形状に応じて塑性変形できる。本実施形態では、絶縁部材１１は、図１（ｂ）、図２に示すように、接続端子部４（４ａ〜４ｆ）の凹部５を覆うように接続端子台３の表面に取り付けられている。絶縁部材１１は、接続端子台３の凹部５を埋めるように設けられてもよい。
【００３７】
操作部材１２は、絶縁部材１１が接続端子部４（４ａ〜４ｆ）を覆って取り付けられている取り付け場所からこの絶縁部材１１を取り除くことができるように、この絶縁部材１１を操作するためのものである。操作部材１２は、図２、図３に示すように、長方形のシート状（板状又は膜状）に構成されており、厚さ方向の一方の面に複数の突起部１５，１５，…を有する。突起部１５，１５，…は、合成樹脂によって弾性変形可能な形状に形成されている。突起部１５，１５，…は、絶縁部材１１が塑性変形可能な粘土状とされていることから、操作部材１２を絶縁部材１１に押し付けることで、絶縁部材１１に食い込み、これによって絶縁部材１１を掛止できるようになっている。
【００３８】
突起部１５，１５，…は、図３（ａ）〜（ｃ）に示すように、シート状の操作部材１２の厚さ方向の一方の面に、所定の間隔をおいて設けられている。図３（ａ）に示すように、突起部１５，１５，…は、その先端が鉤状（符号１５ａで示す）に構成されている。
【００３９】
また、突起部１５，１５，…は、図３（ｂ）に示すように、その先端が鉤状とされたもの（１５ａ）と、環状（リング状）に形成されたもの（符号１５ｂ）とが交互に形成されたものとすることも可能である。また、突起部１５，１５，…は、図３（ｃ）に示すように、その先端部が二股に枝分かれした形状（符号１５ｃ）とされていてもよい。
【００４０】
カバー部材１３は、絶縁部材１１に異物が付着することを防止するために絶縁部材１１の表面を覆うようにしてこの表面に密着している。このカバー部材１３は、絶縁部材１１から剥離しやすいように所定の表面処理が為されている。図４に示すように、カバー部材１３は、複数の板状の絶縁部材１１の間に設けられることで、この複数の絶縁部材１１を積層した状態にすることができる。
【００４１】
なお、絶縁部材１１は、その一部を切り取って、ドライバー等の工具２０と、この工具２０によって操作される端子螺子７，７等の作業対象物とを連結する連結具２３（結合維持手段）として用いることができる。絶縁部材１１の一部を利用した連結具２３は、図５（ａ）（ｂ）に示すように、端子螺子７の頭部２１に載せられ、この状態から、工具２０の先端を、端子螺子７，７の頭部２１に形成された、工具２０が係合する溝２２に嵌めることで、この溝２２及び工具２０の先端の形状に応じて塑性変形する。これにより、工具２０の先端が作業対象物の頭部２１の溝２２に嵌った状態で、しかも、連結具２３による接着によって工具２０と作業対象物とが連結（結合）された状態が維持されている。
【００４２】
この連結具２３は、前記絶縁部材１１の一部を切り取って用いるのではなく、別途、粘着性を有する粘土部材を用いるようにしてもよい。工具に絶縁処理が為されていれば、この連結具２３にとって、絶縁性は必ずしも必要ではない。
【００４３】
以下、短絡防止具１０及び連結具２３の使用方法の一例を説明する。
【００４４】
例えば、電力量計１の複数の接続端子に接続された電線のうちの１つを交換するような場合について説明する。まず、図１（ｂ）に示すように、接続端子部４（４ａ〜４ｆ）のうち、１つの接続端子部４ｃを露出させ、この接続端子部４ｃ以外の接続端子部４ａ、４ｂ、４ｃ〜４ｆを絶縁部材１１によって覆うようにする。なお、図１（ｂ）では、１つの絶縁部材１１によって２つの接続端子部４ａ，４ｂを覆い、別の絶縁部材１１によって、３つの接続端子部４ｄ〜４ｆを覆っているが、接続端子部４ａ，４ｂ，４ｄ〜４ｆのそれぞれを別個の絶縁部材１１で覆うようにしてもよい。
【００４５】
このとき、図４に示す絶縁部材１１からカバー部材１３を剥離させた後、絶縁部材１１を指で接続端子台３の表面に押し付けながら塑性変形させ、接続端子部４（４ａ〜４ｆ）の凹部５に設けられている端子螺子７，７が露出しないように、この凹部５を閉塞する。
【００４６】
つぎに、露出している接続端子部４（４ａ〜４ｆ）の端子螺子７，７の頭部２１の溝２２にドライバーの先端を嵌め端子螺子７，７を緩め、既設の電線をこの接続端子部４（４ａ〜４ｆ）の挿入孔から抜き取る。
【００４７】
そして、新たな電線を挿入孔に挿入し、ドライバーによって端子螺子７，７を締め付け、この電線を接続端子に接続する。電線の接続が完了すると、その接続端子部４ｃを絶縁部材１１で覆うように接続端子台３の表面に貼り付け、これによって電線の交換作業が完了する。
【００４８】
なお、端子螺子７，７をドライバーによって操作する場合には、絶縁部材１１の一部を切り取って、この一部を連結具２３として、端子螺子７，７とドライバーとの間に介在させて両者を連結した状態で接続・接続解除作業を行うことが望ましい。
【００４９】
他の電線を交換する場合には、該当する接続端子部４（４ａ〜４ｆ）を覆っている絶縁部材１１に、突起部１５，１５，…が形成されている側の操作部材１２の面を押し付ける。このとき、複数の突起部１５，１５，…が絶縁部材１１に食い込むことにより、操作部材１２と絶縁部材１１とが強固に連結される。この状態から操作部材１２を引っ張って、絶縁部材１１を接続端子台３から引き剥がす。
【００５０】
そして、上記と同じようにドライバーによって端子螺子７，７を操作して、電線の交換作業を行う。作業が完了すると、再び絶縁部材１１によって接続端子部４（４ａ〜４ｆ）を覆うようにする。このとき、操作部材１２と絶縁部材１１とが連結された状態で、絶縁部材１１を接続端子部４（４ａ〜４ｆ）に取り付けても良いし、操作部材１２が連結されていない新たな絶縁部材１１によって接続端子部４（４ａ〜４ｆ）を覆うようにしてもよい。
【００５１】
なお、接続端子部４（４ａ〜４ｆ）を覆う絶縁部材１１には、操作部材１２を取り付けたままの状態にしてもよいし、操作部材１２を絶縁部材１１に取り付けずに、絶縁部材１１のみによって接続端子部４（４ａ〜４ｆ）を覆うようにしてもよい。
【００５２】
以上説明した短絡防止具１０によれば、絶縁部材１１が、各接続端子部４（４ａ〜４ｆ）の形状に応じて塑性変形し、その粘着性により、各接続端子部４（４ａ〜４ｆ）を覆うように取り付けられることから、電力量計の大きさ、形状に関わらず、作業の対象となる接続端子部４のみを露出させ、それ以外の接続端子部４を絶縁部材１１で覆うことによって、作業中に短絡が生じることを確実に防止できる。しかも、作業が完了した後に、その接続端子部４を絶縁部材１１によって覆うことで、作業中のみならず、作業終了後も接続端子部４（４ａ〜４ｆ）の短絡を確実に防止できる。
【００５３】
また、操作部材１２を用いて絶縁部材１１を操作することで、容易に絶縁部材１１を取り付け場所から取り除くことができるようになる。また、操作部材１２の突起部１５，１５，…が絶縁部材１１に食い込むことにより、操作部材１２は、絶縁部材１１に対して強く結合することになり、これによって確実に絶縁部材１１を操作できるようになる。
【００５４】
また、操作部材１２はシート状に構成されていることから、絶縁部材１１に対する接触面積を十分に確保でき、これによって、絶縁部材１１に対する結合力を十分に発揮して確実にこの絶縁部材１１を操作できるようになる。
【００５５】
さらに、絶縁部材１１をカバー部材１３で覆うことで、不使用時に絶縁部材１１に異物が付着することを確実に防止でき、絶縁部材１１の機能の劣化を抑制しながら、絶縁部材１１を使用する際にその機能を確実に発揮させることができる。
【００５６】
また、カバー部材によって、絶縁部材１１の表面を覆うことによって、複数の絶縁部材１１を積層して１つの纏まりとして構成することができ、絶縁部材１１を多用するような環境においても対応でき、しかも保管や、持ち運びの際に、非常に有用なものとなる。
【００５７】
また、絶縁部材１１の一部を切り離して、この部分を工具２０と作業対象物を連結する連結具２３として用いることで、工具２０と作業対象物との結合を維持することができ、これによって、作業対象物が不意に工具２０から離れて短絡が生じることを防止しながら所定の作業を効率良く行うことができるようになる。なお、作業対象物が非磁性体である場合には、この連結具２３を使用した作業が特に有効になる。
【００５８】
なお、本発明に係る短絡防止具１０及び連結具２３は、上記の実施形態に限らず、種々の変更・変形が可能である。
【００５９】
例えば、上記の実施形態では、操作部材１２として、長方形状のシート状のものを用いたが、これに限らず、正方形、円形、楕円形その他の種々の形状のものを用いてもよい。また、この操作部材１２は、絶縁部材１１を接続端子部４（４ａ〜４ｆ）から取り除き易くなるように、塑性変形するものが望ましいが、弾性変形可能な樹脂板等によって構成してもよい。
【００６０】
また、絶縁部材１１によって、接続端子部４（４ａ〜４ｆ）の絶縁が確実になされることから、この操作部材１２を金属製としてもよい。また、上記の実施形態では、操作部材１２をシート状に構成した例を示したが、これに限らず、棒状、鉤状その他の種々の形状で構成してもよい。
【００６１】
また、上記の実施形態では、接続端子部４（４ａ〜４ｆ）を覆う絶縁部材１１を除去する際に、操作部材１２を用いていたが、この操作部材１２を用いることなく、絶縁部材１１を接続端子台３から直接引き剥がして除去してもよい。
【００６２】
上記の実施形態では、絶縁部材１１を除去する場合に、操作部材１２を使用していたが、接続端子部４の形状、大きさ等が分かっている場合には、操作部材１２を絶縁部材１１に先に連結しておいて、操作部材１２とともに、絶縁部材１１を、操作端子部を覆うように接続端子台３の表面に取り付けるようにしてもよい。
【００６３】
絶縁部材１１は、粘着性を有することから、この操作部材１２を介して絶縁部材１１を接続端子台３に押し付けるようにすれば、作業者の指に絶縁部材１１が付着することなく、容易に接続端子台３への取り付けができ、この点において特に有用である。
【００６４】
また、上記実施形態では、操作部材１２に形成される突起部１５，１５，…として、先端が鉤状のもの（１５ａ）、環状のもの（１５ｂ）、先端が二股状のもの（１５ｃ）の３種類を例示したが、突起部１５の形状はこれに限定されない。また、操作部材１２として、例えば、面ファスナーを代用することも可能である。
【００６５】
また、上記実施形態では、シート状に構成された操作部材１２に複数の突起部１５，１５，…を形成した例を示したが、これに限らず、突起部１５，１５，…を形成しないシート状の操作部材１２、または、突起部１５，１５，…を形成しない、シート状以外の形状の操作部材１２によって絶縁部材１１を操作することも可能である。また、操作部材１２と絶縁部材１１との結合（固着）をより強力にすべく、操作部材１２に接着剤を塗布しておいてもよい。
【符号の説明】
【００６６】
１…電力量計、２…本体部、３…接続端子台、４（４ａ〜４ｆ）…接続端子部、５…凹部５、６…ねじ孔、７…端子螺子、１０…短絡防止具、１１…絶縁部材、１２…操作部材、１３…カバー部材、１５（１５ａ〜１５ｃ）…突起部、２０…工具、２１…頭部、２２…溝、２３…連結具
【図１】
2010159991.tif 000003
【図２】
2010159991.tif 000004
【図３】
2010159991.tif 000005
【図４】
2010159991.tif 000006
【図５】
2010159991.tif 000007